(57)【要約】【課題】より小さい力でタップ本体をしっかりと把持できる延長コードを提供する。【解決手段】プラグの栓刃がそれぞれ挿入される一対の栓刃挿入孔１４が表面に開口したタップ本体１と、各栓刃挿入孔１４から内部に挿入される栓刃をそれぞれ受ける刃受ばね２１を具備したスイッチブロック２と、タップ本体１に電源コード３を介して接続される差込プラグ４とを備え、タップ本体１における栓刃挿入孔１４が開口する面以外の面であって、タップ本体１を手で把持する際に手が触れる面を、手の形に整合するような曲面１ａに形成してある。【選択図】図１
2005100861.tif 000002
【特許請求の範囲】
【請求項１】
プラグの栓刃が挿入される第１の栓刃挿入孔が表面に開口したタップ本体と、前記タップ本体に収納され前記第１の栓刃挿入孔から内部に挿入される栓刃を受ける第１の刃受ばねと、前記タップ本体に電源コードを介して接続される差込プラグとを備え、前記タップ本体における前記第１の栓刃挿入孔が開口する面以外の面であって、前記タップ本体を手で把持する際に手が触れる面を、手の形に整合するような曲面形状に形成したことを特徴とする延長コード。
【請求項２】
前記タップ本体を保持して被取付部に取り付けるための延長コード用ホルダーを取り付ける取付手段を前記タップ本体における前記曲面形状を形成した面以外の面に形成したことを特徴とする請求項１記載の延長コード。
【請求項３】
前記第１の刃受ばねへの給電をオン／オフするための第１のスイッチを前記タップ本体に設けたことを特徴とする請求項１又は２記載の延長コード。
【請求項４】
前記差込プラグは、コンセントに接続するための栓刃を具備したプラグ本体を備え、該プラグ本体の表面にプラグの栓刃が挿入される第２の栓刃挿入孔を形成し、該第２の栓刃挿入孔から内部に挿入される栓刃を受ける第２の刃受ばねを前記プラグ本体に収納し、前記第２の刃受ばねへの給電をオン／オフするための第２のスイッチをプラグ本体に設けたことを特徴とする請求項１乃至３の何れか１つに記載の延長コード。
【発明の詳細な説明】
【技術分野】
【０００１】
本発明は、延長コードに関するものである。
【背景技術】
【０００２】
従来より、プラグの栓刃が挿入される栓刃挿入孔をタップ本体の表面に形成し、栓刃挿入孔から内部に挿入される栓刃を受ける刃受ばねをタップ本体に収納した延長コードが提供されている（例えば特許文献１参照）。
【０００３】
このような延長コードはタップ本体を床などに転がして使用されるので、タップ本体が固定されていない。そのためタップ本体にプラグの栓刃を抜き差しする際は、タップ本体を手に持ってプラグの抜き差しを行うのであるが、栓刃が抜けないように刃受ばねの保持力を大きくしているので、プラグの抜き差しに大きな力が必要になり、その結果タップ本体を強く握って栓刃の挿抜作業を行う必要がある。
【特許文献１】特開平１１−５４２２６号公報
【発明の開示】
【発明が解決しようとする課題】
【０００４】
しかしながら、延長コードのタップ本体は角に丸みを持たせたものも提供されているが、扁平な直方体状に形成されているので、タップ本体を把持した時に手とタップ本体との間にすき間ができて、タップ本体をしっかりと保持することができず、タップ本体がぐらついてプラグの抜き差しがやりにくいという問題があった。
【０００５】
本発明は上記問題点に鑑みて為されたものであり、その目的とするところは、より小さい力でタップ本体をしっかりと把持できる延長コードを提供することにある。
【課題を解決するための手段】
【０００６】
上記目的を達成するために、請求項１の発明は、プラグの栓刃が挿入される第１の栓刃挿入孔が表面に開口したタップ本体と、タップ本体に収納され第１の栓刃挿入孔から内部に挿入される栓刃を受ける第１の刃受ばねと、タップ本体に電源コードを介して接続される差込プラグとを備え、タップ本体における第１の栓刃挿入孔が開口する面以外の面であって、タップ本体を手で把持する際に手が触れる面を、手の形に整合するような曲面形状に形成したことを特徴とする。
【０００７】
請求項２の発明は、請求項１の発明において、タップ本体を保持して被取付部に取り付けるための延長コード用ホルダーを取り付ける取付手段をタップ本体における曲面形状を形成した面以外の面に形成したことを特徴とする。
【０００８】
請求項３の発明は、請求項１又は２の発明において、第１の刃受ばねへの給電をオン／オフするための第１のスイッチをタップ本体に設けたことを特徴とする。
【０００９】
請求項４の発明は、請求項１乃至３の何れか１つの発明において、差込プラグは、コンセントに接続するための栓刃を具備したプラグ本体を備え、該プラグ本体の表面にプラグの栓刃が挿入される第２の栓刃挿入孔を形成し、該第２の栓刃挿入孔から内部に挿入される栓刃を受ける第２の刃受ばねをプラグ本体に収納し、第２の刃受ばねへの給電をオン／オフするための第２のスイッチをプラグ本体に設けたことを特徴とする。
【発明の効果】
【００１０】
以上説明したように、請求項１の発明では、タップ本体における第１の栓刃挿入孔が開口した面以外の面であって、タップ本体を手で把持する際に手が触れる面を、手の形に整合するような曲面形状に形成しているので、タップ本体を手で把持したときに手とタップ本体との間にできる隙間を小さくして、タップ本体のぐらつきを少なくでき、より小さい力でタップ本体をしっかりと把持できるという効果がある。
【００１１】
またタップ本体は固定されておらず、床などに転がして使用されるのであるが、請求項２の発明では、延長コード用ホルダーを取り付ける取付手段をタップ本体における曲面形状を形成した面以外の面に形成しているので、延長コード用ホルダーを用いてタップ本体を被取付部に取り付けた状態で使用できるという効果がある。そのうえ延長コード用ホルダーの取付手段はタップ本体における曲面形状を形成した面以外の面に形成してあるので、タップ本体を手でしっかりと把持した状態で延長コード用ホルダーを着脱できるという効果もある。
【００１２】
請求項３の発明では、第１の刃受ばねへの給電をオン／オフするための第１のスイッチをタップ本体に設けているので、第１のスイッチを用いて第１の刃受ばねへの給電をオン／オフすることで、タップ本体に接続される電気機器の電源をタップ本体の側でオン／オフすることができ、第１の刃受ばねへの給電を遮断することで、電気機器が待機時に消費する電力（待機電力）を無くすことができる。
【００１３】
また延長コードの差込プラグをコンセントに接続すると、差込プラグが接続されたコンセントで利用可能なコンセント口の数が１つ減るが、請求項４の発明では、差込プラグのプラグ本体に第２の栓刃挿入孔を設け、第２の栓刃挿入孔から内部に挿入される栓刃を受ける第２の刃受ばねをプラグ本体に収納しているので、第２の栓刃挿入孔と第２の刃受ばねとで構成されるコンセント口を利用することによって、差込プラグをコンセントに接続したとしても、コンセントで利用可能なコンセント口の数が減ることはなく、コンセントの口数が限られている場合でも延長コードを利用しやすいという効果がある。そのうえプラグ本体には、第２の刃受ばねへの給電をオン／オフするための第２のスイッチを設けているので、第２のスイッチを用いて第２の刃受ばねへの給電を第１の刃受ばねへの給電とは別個にオン／オフすることで、プラグ本体に接続される電気機器の電源をプラグ本体の側で個別にオン／オフできる。
【発明を実施するための最良の形態】
【００１４】
以下に本発明の実施の形態を図面に基づいて説明する。
【００１５】
（実施形態１）
本実施形態の延長コードの分解斜視図を図１に、外観斜視図を図２にそれぞれ示す。なお、以下の説明では特に断りがないかぎり、図１中の矢印ａを前方向、矢印ｂを後方向、矢印ｃを上方向、矢印ｄを下方向、矢印ｅを左方向、矢印ｆを右方向として説明を行う。
【００１６】
この延長コードは、プラグの栓刃がそれぞれ挿入される角孔状の一対の栓刃挿入孔（第１の栓刃挿入孔）１４が表面に開口したタップ本体１と、各々の栓刃挿入孔１４から内部に挿入される栓刃を受ける刃受ばね（第１の刃受ばね）２１を具備し、タップ本体１の内部に収納されるスイッチブロック２と、タップ本体１に電源コード３介して接続される差込プラグ４とを備える。
【００１７】
タップ本体１は、それぞれ合成樹脂成型品からなる外ボディ１１と外カバー１２と中カバー１３とを結合して構成される。
【００１８】
外ボディ１１は上面及び前面が開口した略箱状であって、外ボディ１１の底壁の中央からは貫通孔１５ａを有するボス１５が突設されている。また外ボディ１１の後壁の開口縁には半円形に窪んだ凹部１１ａが形成されている。
【００１９】
外カバー１２は下面及び前面が開口した略箱状であって、外カバー１２の上面中央には下側に窪んだ凹部１２ａが形成されており、この凹部１２ａの底に後述のハンドル２２を露出させる長孔状の開口窓１６が貫設されている。また外カバー１２の後壁の開口縁には、外ボディ１１の凹部１１ａとともに電源コード３の挿通孔を構成する半円状に窪んだ凹部（図示せず）が形成されている。
【００２０】
中カバー１３は後面が開口した箱形に形成され、中カバー１３の前面には前面視の形状が矩形状であって、外ボディ１１の上側に外カバー１２を被せた時に外ボディ１１及び外カバー１２の前側にできる開口から露出する突台１３ａが突設されている。この突台１３ａの左右及び上下の側面にはそれぞれ外ボディ１１及び外カバー１２の前側にできる開口の縁と係止する段部１３ｂ，１３ｃが突設されている。
【００２１】
スイッチブロック２は略直方体状のスイッチケース２０を有し、このスイッチケース２０の前面に刃受ばね２１，２１を配設するとともに、スイッチケース２０の後面に電源コード３の芯線３１がかしめ圧着によって接続される一対の端子片２３を配設してある。各刃受ばね２１は、１枚の栓刃を挟み込んで電気的に接触する２つの接触片２１ａで構成される。また各端子片２３は導電性の良好な金属材料により横断面が略Ｕ字状に形成されており、端子片２３の内部に芯線３１を挿入してかしめることで、芯線３１と端子片２３との電気的且つ機械的接続を容易に行うことができる。またスイッチケース２０の上面にはハンドル２２がシーソー動作自在に取り付けられており、ハンドル２２の操作に応じて端子片２３から刃受ばね２１への電源供給を入／切する接点機構（図示せず）がスイッチケース２０の内部に収納されている。
【００２２】
一方、差込プラグ４は、一対の平型栓刃４１を保持する回転体４２と、回転体４２を回転自在に支持するプラグ本体４０とを備え、各々の栓刃４１は電源コード３の芯線３１を介してスイッチブロック２の端子片２３に電気的に接続されている。
【００２３】
而してこの延長コードを組み立てるにあたっては、先ず電源コード３を保護するための樹脂製のブッシング７に電源コード３を通し、電源コード３の被覆が剥かれた芯線３１をスイッチブロック２の端子片２３にかしめ圧着して、栓刃４１，４１とスイッチブロック２とを電気的に接続する。そして、ブッシング７を外ボディ１１の凹部１１ａに嵌め込むようにしてスイッチブロック２を外ボディ１１上に載置するとともに、外ボディ１１前面の開口から突台１３ａを露出させるようにして中カバー１３を外ボディ１１上に載置した後、外ボディ１１の上側に外カバー１２を被せ、外ボディ１１の貫通孔１５ａに通した組立ねじ６を外カバー１２のねじ穴（図示せず）に螺合することによって、外ボディ１１と外カバー１２との間に中カバー１３とスイッチブロック２とを挟んだ状態で外ボディ１１と外カバー１２とを結合する。このとき中カバー１３の段部１３ｂ，１３ｃが外ボディ１１及び外カバー１２の前側の開口の縁と係止することで中カバー１３の抜けが防止される。
【００２４】
ところでタップ本体１は床などに転がして使用されるのであるが、このタップ本体１を保持して被取付部に取り付けるための延長コード用ホルダー５をタップ本体１に着脱自在に取り付けることができる。延長コード用ホルダー５は、図３及び図４に示すようにタップ本体１の下面に取り付けられるホルダー本体５０と、ホルダー本体５０に選択的に取り付けられてホルダー本体を被取付部に取り付けるためのフック６０、マグネット６４、取付基台６８などの取付手段とで構成される。
【００２５】
ホルダー本体５０は合成樹脂により下面が開口した矩形箱状に形成されており、タップ本体１（外ボディ１１）の下面と対向する面（上面）には外ボディ１１に設けた４個の係止孔１７とそれぞれ係止離脱自在に係止する４本の弾性係止片５１が突設されている。そしてホルダー本体５０をタップ本体１に取り付ける際には、弾性係止片５１と係止孔１７との位置を合わせてホルダー本体５０を外ボディ１１側に近づけると、弾性係止片５１が係止孔１７内に挿入されて、弾性係止片５１の先端に設けた爪５１ａが係止孔１７の端面と当接することで弾性係止片５１が撓められる。そしてホルダー本体５０の上面が外ボディ１１の下面と接触するまでホルダー本体５０を外ボディ１１に近づけると、弾性係止片５１の先端の爪５１ａと係止孔１７の孔縁とが係止することでホルダー本体５０がタップ本体１に取り付けられるようになっている。
【００２６】
またホルダー本体５０の長手方向における一端側には、ねじ挿通孔５２ａが形成された円筒状のボス部５２が立設されており、長手方向における他端側には、ポールなどの棒状の被取付部に引っ掛けて取り付けるためのフック６０を保持するフック保持部５３が設けられている。フック６０は、略Ｃ字状に形成された引掛爪部６１と、引掛爪部６１の一端部から連続一体に延設されてフック保持部５３の軸受孔５３ａに回転自在に挿入される丸棒状の軸部６２とで構成され、軸部６２の先端には軸部６２よりも径の大きい球状の抜止部６３が形成されている。而して、フック６０の軸部６２をフック保持部５３に回転自在に保持させた状態でフック６０を被取付部に引っ掛けることで、タップ本体１を棒状の被取付部に引っ掛けて取り付けることができる。
【００２７】
またフック保持部５３にはだるま孔形状のねじ挿通孔５３ｂが形成されており（図４（ａ）参照）、丸孔状のねじ挿通孔５２ａとだるま孔状のねじ挿通孔５３ｂとに例えば木ねじのような取付ねじ（図示せず）を挿通して、木製或いは石膏ボードからなる壁面のような被取付部に螺着することで、ホルダー本体５０を被取付部にねじ止めすることができる。
【００２８】
またホルダー本体５０の裏側面におけるボス部５２とフック保持部５３との間の部位には、ボス部５２側の一端部に差込孔５４を有するリブ５５が突設され、他端部には先端縁の左右両側部に一対の爪５６を有する弾性突片５７が突設されている。そして、これらの差込孔５４及び爪５６を用いて、磁性材料でできた被取付部に磁着するためのマグネット６４、又は、机などの板状の被取付部を挟むことによって被取付部に固定するための取付基台６８の何れかをホルダー本体５０に着脱自在に取り付けることができる。
【００２９】
マグネット６４は、矩形板状の永久磁石からなるマグネット部材６５と、マグネット部材６５の磁力を効率良く利用するために磁性材料で横断面の形状が略コ字形に形成され、マグネット部材６５の前面及び両側面を覆うようにしてマグネット部材６５に取り付けられるヨーク６６とで構成される。そして、ヨーク６６の中央片には長手方向一端部の中央に差込孔５４に挿入される係止突片（図示せず）が突設され、ヨーク６６の両側片の長手方向他端部には爪５６と係止する係止爪６７が突設されている。
【００３０】
而してこのマグネット６４をホルダー本体５０に取り付ける際には、ヨーク６６の一端部に設けた係止突片をホルダー本体５０の差込孔５４に差し込んで係止させた後、ヨーク６６の他端部をホルダー本体５０側に押し込むと、弾性突片５７の爪５６がヨーク６６の係止爪６７によって押圧される。このとき弾性突片５７がマグネット６４と反対側へ弾性的に撓められ、係止爪６７が爪５６を乗り越えて、爪５６と係止することで、マグネット６４がホルダー本体５０に取り付けられる。そして、マグネット６４がホルダー本体５０に取り付けられた状態で、マグネット６４を磁性材料でできた被取付部に磁着させることによって、ホルダー本体５０を被取付部に取り付けることができる。なおマグネット６４をホルダー本体５０から取り外す際には、弾性突片５７をマグネット６４と反対側に撓ませることによって、弾性突片５７の爪５６とヨーク６６の係止爪６７との係止状態を解除することができ、マグネット６４を容易に取り外すことができる。
【００３１】
一方取付基台６８は、コ字形の取付金具６９と、取付金具６９の下横片６９ａに設けたねじ孔（図示せず）に螺合する締付ねじ７０と、締付ねじ７０のねじ部先端に取着される円盤状の押さえ板７１とで構成される。そして、取付金具６９の上横片６９ｂの先端部両側縁には、ホルダー本体５０の差込孔５４に挿入される係止突片７２が１個ずつ設けられ、さらに係止突片７２の両側にはホルダー本体５０の爪５６とそれぞれ係止する係止爪７３が２個ずつ設けられている。
【００３２】
而して、この取付金具６９をホルダー本体５０に取り付ける際には、上横片６９ｂの一側縁に設けた係止突片７２をホルダー本体５０のリブ５５に設けた差込孔５４に差し込んで係止させた後、上横片６９ｂの他側縁をホルダー本体５０側に押し込むと、他側縁に設けた係止爪７３によって弾性突片５７の爪５６が押圧される。このとき弾性突片５７が上横片６９ｂと反対側へ弾性的に撓み、係止爪７３が爪５６を乗り越えて、爪５６と係止することで、取付金具６９がホルダー本体５０に取り付けられる。そして、この取付基台６８を用いてホルダー本体５０を机のような板状の被取付部に取り付ける場合は、取付金具６９の上横片６９ｂと締付ねじ７０先端の押さえ板７１とで机の天板の縁部や脚を両側から挟み、締付ねじ７０の摘み７０ａを回転させて締め付けることで、取付基台６８（すなわちホルダー本体５０）を板状の被取付部に締付け固定できるようになっている。なお取付金具６９をホルダー本体５０から取り外す際は、弾性突片５７を上横片６９ｂと反対側に撓ませることで、弾性突片５７の爪５６と係止爪７３との係止状態を解除することができ、取付金具６９を容易に取り外すことができる。
【００３３】
以上のように本実施形態の延長コードでは、タップ本体１にホルダー本体５０を装着することによって、ねじ止めによる壁面などへの固定、フック６０によるポールなどへの引掛固定、マグネット６４による金属面への取付、取付基台６８による机などへの固定の４通りの取付方法でタップ本体１を被取付部に取り付けることができる。
【００３４】
ところで延長コードのタップ本体１は、栓刃挿入孔１４が開口する前面、及び、ホルダー本体５０が装着される底面以外の面であって、タップ本体１を上側から手で把持する際に手が触れる面（つまりタップ本体１の上面及び左右両側面）を、上側から見た形状が、前後方向における中間部が前後両側部よりも左右両側に膨出するとともに、前端部よりも後端部の方が狭くなるような形状であって、左右方向から見て前後方向における中間部が前後両側部よりも上側に膨出するような形状に形成している。このようにタップ本体１の表面を、タップ本体１を手で把持するときの手の形に整合するような曲面１ａに形成しているので、タップ本体１を手で把持したときに手とタップ本体１との間にできる隙間が小さくなって、タップ本体１のぐらつきが少なくなり、その結果従来に比べてより小さい力でタップ本体１をしっかりと把持でき、タップ本体１の栓刃挿入孔１４にプラグの栓刃を抜き差しする作業や、タップ本体１にホルダー本体５０を着脱する作業を容易に行うことができる。
【００３５】
また本実施形態の延長コードでは、タップ本体１の内部にスイッチブロック２を収納しており、刃受ばね２１，２１への電源供給をスイッチブロック２（第１のスイッチ）でオン／オフしているので、ハンドル２２の操作によってこの延長コードに接続される電気機器への電源供給をタップ本体１側でオン／オフできる。また、刃受ばね２１への給電を遮断することで電気機器が待機時に消費する電力（待機電力）を無くすことができる。
【００３６】
（実施形態２）
本発明の実施形態２を図５（ａ）（ｂ）に基づいて説明する。本実施形態では、実施形態１の延長コードにおいて差込プラグ４にコンセント口を１口設けるとともに、このコンセント口への給電をオン／オフするためのスイッチを差込プラグ４に設けてある。尚、差込プラグ４以外の構成は上述した実施形態１と同様であるので、共通する構成要素には同一の符号を付して、その説明は省略する。
【００３７】
本実施形態では差込プラグ４のプラグ本体４０をタップ本体１と略同一の形状に形成してあり、プラグ本体４０は外ボディ４３と外カバー４４と中カバー４５とを結合して形成される。外ボディ４３の底面には一対の栓刃４１が突設されている。また中カバー４５の前面にはプラグの平行栓刃が挿入される一対の栓刃挿入孔４６が開口しており、プラグ本体４０の内部には栓刃挿入孔４６から内部に挿入される栓刃を受ける第２の刃受ばね（図示せず）と、外カバー４４の前面にシーソー動作自在に取り付けられたハンドル４７の操作に応じて第２の刃受ばねへの給電をオン／オフする第２のスイッチ（図示せず）とが収納されている。而してハンドル４７の操作に応じて、プラグ本体４０内に収納された刃受ばねへの給電を個別にオン／オフすることができ、差込プラグ４側で差込プラグ４の栓刃挿入孔１４に接続された電気機器の電源を個別に入切することができ、またプラグ本体４０内に収納された刃受ばねへの給電を遮断することによって、電気機器の待機時に消費される電力（待機電力）を無くすことができる。なお第２の刃受ばね及び第２のスイッチは、実施形態１で説明した刃受ばね２１及びスイッチブロック２と同一の構造を有しているので、その説明は省略する。
【００３８】
またプラグ本体４０は、タップ本体１と同様に、栓刃挿入孔４６が開口する前面、及び、栓刃４１が突設された底面以外の面であって、プラグ本体４０を上側から手で把持する際に手が触れる面（つまりプラグ本体４０の上面及び左右両側面）を、上側から見た形状が、前後方向における中間部が前後両側部よりも左右両側に膨出するとともに、前端部よりも後端部の方が狭くなるような形状であって、左右方向から見て前後方向における中間部が前後両側部よりも上側に膨出するような形状に形成している。このようにプラグ本体４０の表面を、プラグ本体４０を手で把持するときの手の形に整合するような曲面４０ａに形成しているので、プラグ本体４０を手で把持したときに手とプラグ本体４０との間にできる隙間が小さくなって、プラグ本体４０のぐらつきが少なくなり、その結果従来に比べてより小さい力でプラグ本体４０をしっかりと把持でき、プラグ本体４０の栓刃４１をコンセントに抜き差しする作業や、プラグ本体４０の栓刃挿入孔４６にプラグの栓刃を抜き差しする作業を容易に行うことができる。
【図面の簡単な説明】
【００３９】
【図１】実施形態１の延長コードの分解斜視図である。
【図２】同上の一部省略せる外観斜視図である。
【図３】同上のタップ部へのホルダーの取付構造を説明する説明図である。
【図４】同上のタップ部にホルダーを取り付けた状態を示し、（ａ）は正面図、（ｂ）は側面図、（ｃ）は下面図である。
【図５】実施形態２の延長コードを示し、（ａ）は外観斜視図、（ｂ）は一部省略せる側面図である。
【符号の説明】
【００４０】
１    タップ本体
１ａ  曲面
２    スイッチブロック
４    差込プラグ
１４  栓刃挿入孔
２１  刃受ばね
【図１】
2005100861.tif 000003
【図２】
2005100861.tif 000004
【図３】
2005100861.tif 000005
【図４】
2005100861.tif 000006
【図５】
2005100861.tif 000007